(57)【要約】【課題】同一のジョブチケットに対する編集操作を制御し、安定な編集を可能とする。【解決手段】リモート優先モードが設定されている場合、画像形成装置５０では、記憶されたジョブチケット（未編集、編集済みのものも含む）に対して遠隔操作装置１０から編集要求されると、編集要求されたジョブチケットに対して編集が行われる。そして、遠隔操作装置１０により編集中又は編集済みのジョブチケットに対して本体操作部を介して編集操作要求されると、遠隔操作装置１０により編集中又は編集済みである旨を警告する警告メッセージが表示部に表示される。そして、遠隔操作装置１０による編集操作に応じてジョブチケットが編集され、当該編集されたジョブチケットが更新記憶される。【選択図】図１
2005178074.tif 000002
【特許請求の範囲】
【請求項１】
遠隔操作装置に通信接続され、印刷条件を示すジョブチケットに従って印刷データの印刷を行う画像形成装置において、
印刷データに対応するジョブチケットを記憶する記憶部と、
画像形成装置本体に設けられ、前記記憶部に記憶されたジョブチケットの編集操作を行うための本体操作部と、
同一のジョブチケットに対する、前記遠隔操作装置による編集操作と前記本体操作部による編集操作とを制御する制御部と、
を備えることを特徴とする画像形成装置。
【請求項２】
前記遠隔操作装置による編集操作と前記本体操作部による編集操作のうち、何れか一方を優先することを指定可能であることを特徴とする請求項１に記載の画像形成装置。
【請求項３】
前記制御部は、前記遠隔操作装置による編集操作を優先することが指定された場合、当該遠隔操作装置により編集中又は編集済みのジョブチケットに対して、前記本体操作部により編集操作されると、当該ジョブチケットは遠隔操作装置により編集されていることを警告することを特徴とする請求項２に記載の画像形成装置。
【請求項４】
前記制御部は、ジョブチケットは遠隔操作装置により編集されていることを警告するとともに、当該ジョブチケットに対する前記本体操作部による編集操作を禁止することを特徴とする請求項３に記載の画像形成装置。
【請求項５】
前記制御部は、前記本体操作部による編集操作を優先することが指定された場合、当該本体操作部により編集中又は編集済みのジョブチケットに対して、前記遠隔操作装置により編集操作されると、当該編集操作を無効とすることを特徴とする請求項２に記載の画像形成装置。
【請求項６】
前記制御部は、ジョブチケットの編集結果を前記遠隔操作装置に通知することを特徴とする請求項１〜５の何れか一項に記載の画像形成装置。
【請求項７】
前記制御部は、前記遠隔操作装置によりジョブチケットの編集が要求されると、当該遠隔操作装置で編集可能なジョブチケットのリスト情報を遠隔操作装置に通知することを特徴とする請求項１〜６の何れか一項に記載の画像形成装置。
【発明の詳細な説明】
【技術分野】
【０００１】
本発明は、複写機、プリンタ、ファクシミリ又はこれらの複合機（以下、画像形成装置という。）に関する。
【背景技術】
【０００２】
近年、パーソナルコンピュータ等の遠隔操作装置から通信ネットワークを介して画像形成装置の遠隔操作を行うことを可能としたシステムが開発されている（例えば、特許文献１〜３参照）。
このようなシステムでは、オペレータが遠隔操作装置を操作して印刷対象のデータ（画像データ、テキストデータ含む。以下、印刷データという）を選択し印刷条件を選択すると、遠隔操作装置において印刷ジョブが作成され、画像形成装置に送信される。印刷ジョブには、選択された印刷データとその印刷条件の情報が書き込まれた印刷指示データ（以下、ジョブチケットという）が含まれる。画像形成装置では、遠隔操作装置から印刷ジョブが送信されると、印刷データと対応付けてそのジョブチケットが保存、管理される。また、画像形成装置本体に設けられる操作部（これを本体操作部という）を介して入力された印刷指示に従って作成された印刷ジョブが保存、管理され、画像形成装置では印刷ジョブが入力された順に印刷が実行される。
【特許文献１】特開２０００−３５７０７２号公報
【特許文献２】特開２００２−２８１１９５号公報
【特許文献３】特開２００１−３０６２０４号公報
【発明の開示】
【発明が解決しようとする課題】
【０００３】
上記従来のシステムでは、印刷部数等の印刷条件に変更が生じ、遠隔操作装置からジョブチケットの編集作業を行う場合、遠隔操作装置側では画像形成装置において保存された印刷ジョブの現在状況が把握できないため、既に印刷中の印刷ジョブについてそのジョブチケットを編集してしまう可能性があった。これでは、遠隔操作装置側のオペレータは編集が成功し、編集済みのジョブチケットにより印刷が実行されると思っているにも関わらず、実際には編集前のジョブチケットで印刷が行われるため、オペレータの意図しない印刷が行われてしまう。
【０００４】
また、画像形成装置と遠隔操作装置とのそれぞれにオペレータがいる場合、同一のジョブチケットに対して、画像形成装置の本体操作部側と、遠隔操作装置側との両方から編集操作が行われる可能性がある。ここで編集操作が自由に行われることとすると、編集操作が交錯し、オペレータの意図しない印刷条件で印刷が実行されることとなる。
【０００５】
本発明の課題は、同一のジョブチケットに対する編集操作を制御し、安定な編集を可能とする画像形成装置を提供することである。
【課題を解決するための手段】
【０００６】
請求項１に記載の発明は、
遠隔操作装置に通信接続され、印刷条件を示すジョブチケットに従って印刷データの印刷を行う画像形成装置において、
印刷データに対応するジョブチケットを記憶する記憶部と、
画像形成装置本体に設けられ、前記記憶部に記憶されたジョブチケットの編集操作を行うための本体操作部と、
同一のジョブチケットに対する、前記遠隔操作装置による編集操作と前記本体操作部による編集操作とを制御する制御部と、
を備えることを特徴とする。
【０００７】
請求項２に記載の発明は、請求項１に記載の画像形成装置において、
前記遠隔操作装置による編集操作と前記本体操作部による編集操作のうち、何れか一方を優先することを指定可能であることを特徴とする。
【０００８】
請求項３に記載の発明は、請求項２に記載の画像形成装置において、
前記制御部は、前記遠隔操作装置による編集操作を優先することが指定された場合、当該遠隔操作装置により編集中又は編集済みのジョブチケットに対して、前記本体操作部により編集操作されると、当該ジョブチケットは遠隔操作装置により編集されていることを警告することを特徴とする。
【０００９】
請求項４に記載の発明は、請求項３に記載の画像形成装置において、
前記制御部は、ジョブチケットは遠隔操作装置により編集されていることを警告するとともに、当該ジョブチケットに対する前記本体操作部による編集操作を禁止することを特徴とする。
【００１０】
請求項５に記載の発明は、請求項２に記載の画像形成装置において、
前記制御部は、前記本体操作部による編集操作を優先することが指定された場合、当該本体操作部により編集中又は編集済みのジョブチケットに対して、前記遠隔操作装置により編集操作されると、当該編集操作を無効とすることを特徴とする。
【００１１】
請求項６に記載の発明は、請求項１〜５の何れか一項に記載の画像形成装置において、
前記制御部は、ジョブチケットの編集結果を前記遠隔操作装置に通知することを特徴とする。
【００１２】
請求項７に記載の発明は、請求項１〜６の何れか一項に記載の画像形成装置において、
前記制御部は、前記遠隔操作装置によりジョブチケットの編集が要求されると、当該遠隔操作装置で編集可能なジョブチケットのリスト情報を遠隔操作装置に通知することを特徴とする。
【発明の効果】
【００１３】
請求項１に記載の発明によれば、同一のジョブチケットに対する編集操作を制御するので、同一のジョブチケットに対して、遠隔操作装置による編集操作と本体操作部による編集操作とが交錯する状態を回避することができ、安定した編集を行うことができる。
【００１４】
請求項２に記載の発明によれば、遠隔操作装置による編集操作と本体操作部による編集操作とのうち優先する方を指定可能な構成としたので、画像形成装置の稼働状況に合わせて編集操作を優先する方を選択することができる。
【００１５】
請求項３に記載の発明によれば、遠隔操作装置による編集操作を優先する場合、遠隔操作装置により編集中又は編集済みのジョブチケットに対して本体操作部により編集操作されると遠隔操作装置により編集中又は編集済みである旨を警告するので、画像形成装置のオペレータは既に遠隔操作装置側のオペレータにより編集操作を受けていることを把握することができる。
【００１６】
請求項４に記載の発明によれば、警告とともに本体操作部による編集操作を禁止し、遠隔操作装置のみの編集操作を有効とするように制御するので、同一のジョブチケットに対する編集操作が交錯することを防止することができる。
【００１７】
請求項５に記載の発明によれば、本体操作部による編集操作を優先する場合、本体操作部により編集中又は編集済みのジョブチケットに対して遠隔操作装置により編集操作されると、遠隔操作装置による編集操作を無効とし、本体操作部による編集操作のみを有効とするように制御するので、同一のジョブチケットに対する編集操作が交錯することを防止することができる。
【００１８】
請求項６に記載の発明によれば、ジョブチケットの編集結果を遠隔操作装置に通知するので、遠隔操作装置側のオペレータは遠隔操作装置側で編集操作したジョブチケットの編集が成功したか否かを確認することができる。従って、オペレータが意図しない印刷条件で印刷が行われるという事態を回避することができる。
【００１９】
請求項７に記載の発明によれば、遠隔操作装置で編集可能なジョブチケットのリスト情報を遠隔操作装置に通知するので、既に印刷実行中のジョブチケット等、編集不可能なジョブチケットを除いたリスト情報を遠隔操作装置に通知することにより、遠隔操作装置で編集不可能なジョブチケットの編集操作を行ったが、画像形成装置では編集操作に応じた編集が行われず、遠隔操作装置側のオペレータが意図しない印刷条件で印刷が行われたといった事態を回避することができる。
【発明を実施するための最良の形態】
【００２０】
本実施の形態では、画像形成装置において、遠隔操作装置による編集操作を優先するリモート優先モードと、画像形成装置の本体操作部による編集操作を優先する本体優先モードとの何れか一方を選択可能な構成とし、選択されたモードに応じて同一のジョブチケットに対する編集操作を制御する例を説明する。すなわち、リモート優先モードが選択されると、遠隔操作装置により編集中又は編集済みのジョブチケットに対する、画像形成装置の本体操作部による編集操作を制限し、本体優先モードが選択されると、本体制御部により編集中又は編集済みのジョブチケットに対する、遠隔操作装置による編集操作を制限して、編集操作を調整する例を説明する。
【００２１】
まず、構成を説明する。
図１に、本実施の形態における画像形成システム１００のシステム構成を示す。
図１に示すように、画像形成システム１００は、遠隔操作装置１０と、画像形成装置５０とを備え、各装置は通信ネットワークＮを介して相互に情報の送受信が可能に構成されている。なお、図１には、３台の遠隔操作装置１０と１台の画像形成装置５０が接続された例を示したが、各装置の設置台数は特に限定しない。
【００２２】
以下、各装置について説明する。
遠隔操作装置１０は、印刷ジョブや、印刷ジョブに含まれるジョブチケットの編集指示等の操作指示情報を画像形成装置５０に送信して、画像形成装置５０を遠隔操作するものであり、例えば汎用のパーソナルコンピュータ等の情報処理装置が適用可能である。
【００２３】
図２に、遠隔操作装置１０の内部構成を示す。
図２に示すように、遠隔操作装置１０は、制御部１１、操作部１２、表示部１３、通信部１４、ＲＡＭ（Random Access Memory）１５、記憶部１６を備えて構成される。
【００２４】
制御部１１は、ＣＰＵ（Central Processing Unit）等を備えて構成され、記憶部１６に格納されるシステムプログラムの他、本発明に係るリモート優先編集処理プログラム（図４参照）、本体優先編集処理プログラム（図８参照）等をＲＡＭ１５に展開して、当該プログラムとの協働により処理動作を統括的に制御する。
【００２５】
制御部１１は、操作部１２を介して入力された操作指示に応じて、印刷ジョブを作成する。印刷ジョブは印刷データとジョブチケットを含む。そして、作成された印刷ジョブを通信部１４を介して画像形成装置５０に送信させ、画像形成装置５０の印刷動作を遠隔操作する。
【００２６】
また、リモート優先編集処理及び本体優先処理では、画像形成装置５０に保存されたジョブチケットの編集操作要求を行う。具体的には、ジョブチケットの編集を要求する要求情報や、編集終了を通知する通知情報等の各種制御情報を生成し、通信部１４を介して画像形成装置５０に送信させる。
【００２７】
操作部１２は、操作指示を入力するためのキーボードやマウス等を備えて構成され、操作されたキー等に対応する操作信号を制御部１１に出力する。
【００２８】
表示部１３は、ＬＣＤ（Liquid Crystal Display）等を備えて構成され、制御部１１による指示に従って、印刷データや印刷条件を選択するための選択画面や、ジョブチケットを編集するための編集画面、画像形成装置５０から通知されたジョブチケットの編集結果を通知する通知画面等の各種表示画面を表示する。
【００２９】
通信部１４は、ネットワークインターフェイスカード（以下、ＮＩＣ；Network Interface Cardという。）やモデム等の通信用のインターフェイスを備えて構成され、通信ネットワークＮ上の外部機器と相互に情報の送受信を行う。例えば、画像形成装置５０にジョブチケットの編集要求情報を送信し、画像形成装置５０からジョブチケットの編集結果の通知情報を受信する。
【００３０】
ＲＡＭ１５は、制御部１１によって実行される各種プログラム及びこれらプログラムに係るデータを一時的に記憶するワークエリアを形成する。
【００３１】
記憶部１６は、システムプログラムの他、リモート優先編集処理プログラム、本体優先編集処理プログラム及び各プログラムで処理されたデータ等を記憶する。
【００３２】
次に、画像形成装置５０について説明する。
画像形成装置５０は、画像形成装置本体に設けられる操作部からの操作指示に従って作成された印刷ジョブ又は遠隔操作装置１０から送信された印刷ジョブを保存し、保存された印刷ジョブの印刷を実行する。
【００３３】
図３に、画像形成装置５０の内部構成を示す。
図３に示すように、画像形成装置５０は、制御部５１、本体操作部５２、表示部５３、ＲＡＭ５４、記憶部５５、画像読取部５６、印刷データメモリ５７、印刷部５８、通信部５９を備えて構成される。
【００３４】
制御部５１は、記憶部５５に格納された印刷処理プログラムをＲＡＭ５４に展開し、当該プログラムとの協働により印刷処理動作を統括的に制御する。例えば、新規作成された印刷ジョブが入力されると、印刷ジョブに含まれる印刷データを印刷データメモリ５７に記憶させ、ジョブチケットを記憶部５５に記憶させる。そして、本体操作部５２からの指示に応じてコピーモード、プリンタモード、スキャナモードを切り換え、印刷データ処理、複写、印刷、画像データの読取等の制御を行う。
【００３５】
また、制御部５１は、同一のジョブチケットに対する編集操作を制御し、本体操作部５２による編集操作又は遠隔操作装置１０による編集操作に応じてジョブチケットの編集を行う。ジョブチケットの編集モードとして、リモート優先モードが選択設定されている場合は記憶部５５に格納されたリモート優先編集処理プログラムを読み出してＲＡＭ１４に展開し、当該プログラムとの協働によりジョブチケットの編集処理動作を統括的に制御する一方、本体優先モードが選択設定されている場合は本体優先編集処理プログラムを読み出してＲＡＭ１４に展開し、当該プログラムとの協働によりジョブチケットの編集処理動作を統括的に制御する。
【００３６】
制御部５１は、ジョブチケットの編集時に遠隔操作装置１０からジョブチケットの編集が要求されると、遠隔操作装置１０で編集可能なジョブチケットを含む印刷ジョブのジョブリストを作成し、通信部５９を介して遠隔操作装置１０に送信させてそのリスト情報を通知する。
【００３７】
リモート優先編集処理では、記憶部５５に記憶されたジョブチケット（未編集、編集済みのものも含む）に対して遠隔操作装置１０から編集要求されると、編集要求されたジョブチケットに対して編集を行う。そして、遠隔操作装置１０により編集中又は編集済みのジョブチケットに対して本体操作部５２を介して編集操作要求されると、遠隔操作装置１０により編集中又は編集済みである旨を警告する警告メッセージを表示部５３に表示させ、本体操作部５２による編集操作を禁止する。そして、遠隔操作装置１０による編集操作に応じてジョブチケットを編集し、当該編集されたジョブチケットを記憶部５５に更新記憶させる。また、本体操作部５２により編集中のジョブチケットに対して、遠隔操作装置１０により編集操作要求されると、本体操作部５２による編集操作を無効とし、遠隔操作装置１０による編集操作に応じてジョブチケットを編集して記憶部５５に更新記憶させる。
【００３８】
本体優先編集処理では、記憶部５５に記憶されたジョブチケット（未編集、編集済みのものも含む）に対して本体操作部５２を介して編集要求されると、編集要求されたジョブチケットに対して編集を行う。そして、本体操作部５２により編集中又は編集済みのジョブチケットに対して遠隔操作装置１０から編集要求されると、遠隔操作装置１０による編集操作を無効とし、編集に失敗した旨を通知する通知情報を生成して通信部５９を介して遠隔操作装置１０に送信させる。また、遠隔操作装置１０により編集中のジョブチケットに対して、本体操作部５２により編集要求されると、遠隔操作装置１０による編集操作に応じて編集されたジョブチケットを記憶部５５に記憶させずに、編集に失敗した旨を通知する通知情報を生成して遠隔操作装置１０に送信させる。
【００３９】
本体操作部５２は、印刷部数、用紙種類、両面／片面印刷、倍率等の印刷条件を設定するための各種機能キー、数字キー等のキー群や、表示部５３と一体に構成されたタッチパネルを備え、操作されたキーに対応する操作信号を制御部５１に出力する。
【００４０】
表示部５３は、ＬＣＤ等から構成され、制御部５１からの指示に従って、印刷条件を設定するための設定画面や、ジョブチケットの編集画面、印刷結果、ジョブチケットの編集結果を通知する通知画面等の各種表示画面を表示する。
【００４１】
ＲＡＭ５４は、制御部５１によって実行される各種プログラム及びこれらプログラムに係るデータを一時的に記憶するワークエリアを形成する。
【００４２】
また、ＲＡＭ５４は、保存された印刷ジョブに関する情報がリスト化されたジョブリストを更新可能に備えている。ジョブリストには、例えば印刷する順にその印刷ジョブ名、印刷ジョブの発信元のユーザ名、印刷データのファイル名、その印刷データの印刷条件を示すジョブチケットのデータファイル名、印刷ジョブの現在状況（例えば、印刷データを受信中であれば“印刷待ち”、ジョブチケットが編集されていれば“編集済み”等のステータス情報）等の各情報が対応付けて格納される。
【００４３】
記憶部５５は、印刷処理プログラムの他、リモート優先編集処理プログラム、本体優先編集処理プログラム及び各プログラムで処理されたデータ等を記憶する。
【００４４】
また、記憶部５５は、ジョブチケットのデータファイルを格納するためのメモリ領域を有する。
【００４５】
画像読取部５６は、コンタクトガラスの下部に、光源、ＣＣＤ（Charge Coupled Device）等の光電変換素子等を備えて構成され、コンタクトガラス上に載置された原稿を光走査し、その反射光をＣＣＤにより光電変換後、デジタル変換してその原稿画像データを取得する。原稿画像データは印刷データとして印刷データメモリ５７に格納される。
【００４６】
印刷データメモリ５７は、画像読取部５６により読み取られた画像データ、遠隔操作装置１０から通信部５９を介して受信された印刷データ等、出力対象の印刷データを格納するためのメモリである。なお、印刷データは必ずしもジョブチケットとともに遠隔操作装置１０から送信される構成とは限らず、ジョブチケットにより指定された保存場所（例えば、サーバで保存されているデータ）から取得された印刷データ等であってもよい。
【００４７】
印刷部５８は、各種類の印刷用紙を給紙する給紙部（図示せず）を備え、制御部５１により印刷指示された印刷データに基づいて、指定された印刷用紙に印刷を行う。なお、印刷方式は、電子写真方式、インクジェット方式等、何れの方式であってもよい。
【００４８】
通信部５９は、ＮＩＣ、モデム等の通信用のインターフェイスを備えて構成され、通信ネットワークＮ上の外部機器と相互に情報の送受信を行う。例えば、遠隔操作装置１０からジョブチケットの編集要求情報を受信し、ジョブチケットの編集結果の通知情報を遠隔操作装置１０に送信する。
【００４９】
次に、本実施の形態における動作を説明する。
本実施形態では、ジョブチケットに対する編集操作を制御する際に、リモート優先モードが設定されている場合に実行される編集操作の制御と、本体優先モードが設定されている場合に実行される編集操作の制御とについて説明する。なお、説明の前提としてリモート優先モードと本体優先モードのうち、何れか一方が初期設定により予めモード設定されていることとする。
【００５０】
まず、図４を参照して、リモート優先モードが設定されている場合について説明する。図４は、画像形成装置５０と遠隔操作装置１０とで実行されるリモート優先編集処理を説明するフローチャートである。以下の説明では、遠隔操作装置１０をリモート操作部といい、画像形成装置５０における本体操作部５２を本体操作部ということがある。
【００５１】
図４に示すリモート優先編集処理では、まず遠隔操作装置１０において操作部１２を介してジョブチケットの編集指示が入力されると、制御部１１においてジョブリストを要求する要求情報が生成され、画像形成装置５０に送信される（ステップＳ１）。画像形成装置５０では、遠隔操作装置１０からジョブリストの要求情報が受信されると、制御部５１によりＲＡＭ５４からジョブリストが読み出される。そして、遠隔操作装置１０で編集可能なジョブチケットを有する印刷ジョブのみからなるジョブリストが再編成され、当該再編成されたジョブリストが遠隔操作装置１０に送信される（ステップＳ２）。例えば、既に印刷中の印刷ジョブのジョブチケットは編集不可能であるため、このような印刷ジョブはジョブリストから削除される。
【００５２】
なお、本実施形態では、ジョブチケットを含む印刷ジョブのジョブリストを要求する例を説明したが、印刷ジョブ全体ではなくジョブチケットのみのリストを要求することとしてもよい。
【００５３】
遠隔操作装置１０では、図５に示すように、画像形成装置５０から送信されたジョブリストに基づいてリスト画面ｄ１が表示部１３に表示される。オペレータにより表示されたジョブリストの中からジョブチケットを編集する印刷ジョブが選択され、編集キーにより編集が指示されると、ジョブチケットの編集画面（図示せず）が表示される。オペレータは、この編集画面において、印刷部数、印刷方法等の各項目について設定を変更して、ジョブチケットの編集操作を行う。遠隔操作装置１０では、操作部１２を介して１項目に対する編集操作が行われる毎に、制御部１１においてジョブチケットの編集を要求する要求情報が生成され、画像形成装置５０に送信される（ステップＳ３）。
【００５４】
画像形成装置５０では、遠隔操作装置１０からジョブチケットの編集要求情報が受信されると、記憶部５５から該当するジョブチケットが読み出されてＲＡＭ５４に一時記憶される。そして、受信された編集要求情報に基づいて制御部５１によりＲＡＭ５４に記憶されたジョブチケットの設定が変更され、編集が行われる。そして、１項目に対する編集が終了すると、制御部５１において編集を行った旨を通知する通知情報が生成され、遠隔操作装置１０に送信される（ステップＳ４）。
【００５５】
遠隔操作装置１０では、オペレータによる編集操作が終了し編集画面においてジョブチケットの保存が指示されたか否かに基づいて、各項目に対して編集が終了したか否かが判別される（ステップＳ５）。ジョブチケットの保存が指示されておらず、編集が終了していない場合は（ステップＳ５；Ｎ）、ステップＳ３の処理に戻り、次の項目に対して編集操作が行われる。一方、ジョブチケットの保存が指示され、編集が終了した場合（ステップＳ５；Ｙ）、ジョブチケットの編集を終了することを通知する通知情報が制御部１１で生成され、通信部１４を介して画像形成装置５０に送信される（ステップＳ６）。
【００５６】
画像形成装置５０では、遠隔操作装置１０からの要求に応じてジョブチケットを編集中に、本体操作部５２を介して印刷メニューからジョブチケットの編集メニューが選択され、当該編集中のジョブチケットに対する編集が要求されたか否かが判別される（ステップＳ７）。本体操作部５２を介して編集が要求された場合は（ステップＳ７；Ｙ）、リモート優先モードが設定されているので、遠隔操作装置１０による編集操作が優先され、図６に示すように、遠隔操作装置１０（リモート操作部）で編集中であり、本体操作部５２（本体操作部）では編集不可能である旨を警告する警告メッセージｍ１が表示部５３に表示されて（ステップＳ８）、本体操作部５２による編集操作が禁止される。メッセージ表示後はステップＳ９の処理に移行する。
【００５７】
一方、本体操作部５２を介して編集が要求されていない場合は（ステップＳ７；Ｎ）、遠隔操作装置１０からジョブチケットの編集操作終了の通知情報が受信されたか否かに基づいて、編集を終了するか否かが判別される（ステップＳ９）。編集操作終了の通知情報が受信されておらず、編集を終了しない場合（ステップＳ９；Ｎ）、ステップＳ４の処理に戻り、遠隔操作装置１０から送信されるジョブチケットの編集要求情報に基づいて編集が繰り返される。一方、編集操作終了の通知情報が受信され、編集を終了する場合（ステップＳ９；Ｙ）、編集されたジョブチケットがＲＡＭ５４から読み出され、記憶部５５に更新記憶される。そして、ジョブチケットの編集結果を通知する通知情報が生成され、遠隔操作装置１０に送信される（ステップＳ１０）。
【００５８】
遠隔操作装置１０では、画像形成装置５０から送信されたジョブチケットの編集結果の通知情報に基づいて、ジョブチケットの編集結果を示す結果画面が表示部１３に表示される（ステップＳ１１）。
例えば、遠隔操作装置１０の編集操作に基づいて編集が正常に行われた場合は、図７（ａ）に示すように、結果画面においてジョブチケットの編集に成功した旨を通知するメッセージｍ２が表示され、通信エラーや、画像形成装置５０側で編集操作が行われた等の理由により編集が正常に行われず、編集エラーが生じた場合は、図７（ｂ）に示すように、結果画面においてジョブチケットの編集に失敗した旨を通知するメッセージｍ３とともに、そのエラーコードｍ４とエラーの原因を示す理由メッセージｍ５が表示される。
【００５９】
一方、画像形成装置５０では、ジョブチケットの編集結果の通知情報が送信されると、本体操作部５２を介して印刷メニューから記憶部５５に記憶された何れかのジョブチケットの編集が選択され、ジョブチケットの編集が要求されたか否かが判別される（ステップＳ１２）。本体操作部５２を介して編集が要求されていない場合は（ステップＳ１３；Ｎ）、本処理を終了する。また、本体操作部５２を介して編集が要求された場合は（ステップＳ１２；Ｙ）、編集要求されたジョブチケットが遠隔操作装置１０による編集操作により編集済みか否かが判別される（ステップＳ１３）。
【００６０】
遠隔操作装置１０の編集操作により既に編集済みで有る場合（ステップＳ１３；Ｙ）、リモート優先モードが設定されているので、遠隔操作装置１０による編集操作が優先され、編集が要求されたジョブチケットは既に遠隔操作装置１０により編集済みであり、画像形成装置５０では編集操作不可能であることを警告する警告メッセージ（図示せず）が表示部１３に表示されて（ステップＳ１４）、本処理を終了する。
【００６１】
一方、遠隔操作装置１０により未編集である場合（ステップＳ１３；Ｎ）、本体操作部５２による編集操作に応じて、選択されたジョブチケットの編集が行われ（ステップＳ１５）、本処理を終了する。
【００６２】
なお、上述した説明では、遠隔操作装置１０により編集中又は編集済みのジョブチケットに対して、本体操作部５２を介して編集要求があった場合について説明したが、逆に本体操作部５２により編集済みのジョブチケットに対して遠隔操作装置１０から編集要求があった場合、遠隔操作装置１０による編集操作が優先され、遠隔操作装置１０からの編集要求に応じて編集が行われて、編集されたジョブチケットが記憶部５５に更新記憶される。
【００６３】
次に、図８を参照して、本体優先モードが設定されている場合における、ジョブチケットの編集操作の制御について説明する。
図８は、画像形成装置５０と遠隔操作装置１０により実行される本体優先編集処理を説明するフローチャートである。
【００６４】
図８に示す本体優先編集処理では、まずステップＳ１〜ステップＳ６までの処理が行われるが、ステップＳ１〜ステップＳ６までの処理は、図７のリモート優先編集処理で説明したステップＳ１〜ステップＳ６の処理と同一であるので、その説明は省略し、ステップＳ１０７から説明する。すなわち、ステップＳ１〜Ｓ６では、遠隔操作装置１０による編集操作に応じてジョブチケットの編集が行われる。
【００６５】
ステップＳ１０７では、画像形成装置５０において、遠隔操作装置１０からの要求に応じてジョブチケットを編集中に、本体操作部５２を介して印刷メニューからジョブチケットの編集メニューが選択され、当該編集中のジョブチケットに対する編集が要求されたか否かが判別される。本体操作部５２を介して編集が要求されていない場合は（ステップＳ１０７；Ｎ）、後述するステップＳ１１０の処理に移行する。
【００６６】
一方、本体操作部５２を介して編集が要求された場合（ステップＳ１０７；Ｙ）、図９に示すように、当該編集要求されたジョブチケットは遠隔操作装置１０（リモート操作部）側で編集中であるが、画像形成装置５０（本体操作部）から編集を実行するか否かを選択する選択画面ｄ２が表示部５３に表示される。そして、この選択画面ｄ２において編集を実行する指示が入力されたか否かが判別される（ステップＳ１０８）。
【００６７】
編集を実行する指示が入力された場合（ステップＳ１０８；Ｙ）、本体優先モードが設定されているので、本体操作部５２による編集操作が優先され、遠隔操作装置１０による編集操作が無効とされる。そして、表示部５３にジョブチケットの編集画面が表示され、この編集画面において印刷部数、印刷方法等の各項目についてオペレータにより本体操作部５２を介して編集操作指示が入力されると、１項目に対する編集操作指示が入力される毎に、制御部１１においてジョブチケットの編集が行われる（ステップＳ１０９）。
【００６８】
次いで、編集画面において本体操作部５２による編集操作が終了しジョブチケットの保存が指示されると、ジョブチケットの編集を終了し、本体操作部５２により編集されたジョブチケットが記憶部５５に更新記憶される。このとき、遠隔操作装置１０により編集中であったジョブチケットは保存されず、ＲＡＭ５４から削除される。そして、ジョブチケットの編集結果を通知する通知情報が制御部５１において生成され、遠隔操作装置１０に送信される（ステップＳ１１１）。
【００６９】
遠隔操作装置１０では、画像形成装置５０から送信されたジョブチケットの編集結果の通知情報に基づいて、ジョブチケットの編集結果を通知する結果画面が表示部１３に表示される（ステップＳ１１２）。例えば、画像形成装置５０の本体操作部５２による編集操作が行われず、遠隔操作装置１０による編集操作に応じて正常に編集が行われた場合は、図７（ａ）に示すようにジョブチケットの編集に成功した旨を示すメッセージｍ２が表示され、遠隔操作装置１０において編集中又は編集済みのジョブチケットに対して画像形成装置５０による編集操作が行われ、遠隔操作装置１０による編集操作に応じた編集が行われなかった場合は、図７（ｂ）に示すようにジョブチケットの編集に失敗した旨を示すメッセージｍ３とともに、そのエラーコードｍ３とエラーの原因を示す理由メッセージｍ５が表示される。編集結果が表示されると、本処理を終了する。
【００７０】
なお、上述した説明では、遠隔操作装置１０により編集中に、画像形成装置５０側で編集要求があった場合を説明したが、遠隔操作装置１０により編集済みのジョブチケットに対して画像形成装置５０側で編集要求があった場合には、画像形成装置５０の編集操作に応じて当該ジョブチケットが編集され、編集されたジョブチケットが記憶部５５に更新記憶される。
【００７１】
また、画像形成装置５０側で編集操作中又は編集済みのジョブチケットに対して、遠隔操作装置１０から編集要求があった場合には、遠隔操作装置１０の編集操作は無効とされて編集は行われず、編集結果として本体操作部５２により編集中又は編集済みであるため、編集に失敗した旨が遠隔操作装置１０に通知される。
【００７２】
以上のように、本実施形態によれば、リモート優先モードが設定されている場合、遠隔操作装置１０による編集操作が優先され、遠隔操作装置１０により編集中又は編集済みのジョブチケットに対して、画像形成装置５０の本体操作部５２から編集が要求されると、警告メッセージが表示され、本体操作部５２からの編集操作を禁止するよう制御されるので、遠隔操作装置１０による編集操作と画像形成装置５０による編集操作とが交錯する状態を回避することができる。また、画像形成装置５０側のオペレータは警告メッセージにより遠隔操作装置１０で編集が行われたことを知ることができる。
【００７３】
また、本体優先モードが設定されている場合、本体操作部５２による編集操作が優先され、画像形成装置５０の本体操作部５２により編集中又は編集済みのジョブチケットに対して、遠隔操作装置１０により編集操作されると、画像形成装置５０においてその編集操作が無効とされる又は当該遠隔操作装置１０により編集されたジョブチケットを保存しないように制御されるので、遠隔操作装置１０による編集操作と画像形成装置５０による編集操作とが交錯する状態を回避することができる。
【００７４】
従って、同一のジョブチケットに対する、本体操作部５２による編集操作と遠隔操作装置１０による編集操作とを制御し、優先設定されたモードに応じてジョブチケットの編集を行うので、安定なジョブチケットの編集が可能となる。
【００７５】
また、本体操作部５２による編集操作が多くなると、その編集操作の間、印刷動作が制限されるため画像形成装置５０における生産性が低下することとなる。そこで、リモート優先モードを指定して本体操作部５２による編集操作を制限することにより、画像形成装置５０の生産性を確保することが可能となる。一方、遠隔操作装置１０を介して画像形成装置５０のジョブチケットを編集可能であるため、遠隔操作装置１０のオペレータが多い場合、ジョブチケットの編集が多発する場合がある。この場合、本体優先モードを指定して遠隔操作装置１０による編集操作を減少させることにより、ジョブチケットの乱用を防止することができる。このように、本実施形態では、リモート優先モード、本体優先モードを指定可能な構成としたので、画像形成装置５０の稼働状況に合わせてモード設定することができ、利便性が良い。
【００７６】
また、ジョブチケットの編集結果が遠隔操作装置１０に通知されるので、オペレータはジョブチケットの編集が成功したか失敗したか、失敗した場合はその原因を知ることができる。従って、ジョブチケットの編集結果が把握できずオペレータの意図しない印刷が行われることを防ぐことができる。
【００７７】
なお、本実施の形態における記述内容は、本発明を適用した画像形成装置５０の好適な一例であり、これに限定されるものではない。
【００７８】
例えば、上述した説明では、リモート優先モードのとき、遠隔操作装置１０により編集中又は編集済みのジョブチケットに対して、本体操作部５２から編集要求された場合、遠隔操作装置１０により編集中又は編集済みであることを警告するとともにその編集操作を禁止することとしたが、画像形成装置５０の操作環境に応じて警告のみにとどめることとしてもよい。これにより、オペレータは警告を確認したうえでなお編集操作を行いたい場合は本体操作部５２から編集を行うことができる。
【００７９】
その他、本実施形態における画像形成装置５０の細部構成及び細部動作に関しても、本発明の趣旨を逸脱することのない範囲で適宜変更可能である。
【図面の簡単な説明】
【００８０】
【図１】本実施の形態における画像形成システム１００のシステム構成を示す図である。
【図２】遠隔操作装置１０の内部構成を示す図である。
【図３】画像形成装置５０の内部構成を示す図である。
【図４】リモート優先モード時に実行されるリモート優先編集処理を説明するフローチャートである。
【図５】画像形成装置５０から遠隔操作装置１０に送信されたジョブリストの一例を示す図である。
【図６】遠隔操作装置１０でジョブチケットの編集操作中に、画像形成装置５０において表示される警告メッセージ例を示す図である。
【図７】画像形成装置５０において表示されるジョブチケットの編集結果の通知メッセージ例を示す図であり、（ａ）は編集に成功した場合の通知メッセージ例であり、（ｂ）は編集に失敗した場合の通知メッセージ例である。
【図８】本体優先モード時に実行されるリモート優先編集処理を説明するフローチャートである。
【図９】遠隔操作装置１０でジョブチケットの編集操作中に、画像形成装置５０において表示される警告メッセージ例を示す図である。
【符号の説明】
【００８１】
１０    遠隔操作装置
１１    制御部
１２    操作部
１３    表示部
１４    通信部
１５    ＲＡＭ
１６    記憶部
５０    画像形成装置
５１    制御部
５２    操作部
５３    表示部
５４    ＲＡＭ
５５    記憶部
５６    画像読取部
５７    印刷データメモリ
５８    印刷部
５９    通信部
【図１】
2005178074.tif 000003
【図２】
2005178074.tif 000004
【図３】
2005178074.tif 000005
【図４】
2005178074.tif 000006
【図５】
2005178074.tif 000007
【図６】
2005178074.tif 000008
【図７】
2005178074.tif 000009
【図８】
2005178074.tif 000010
【図９】
2005178074.tif 000011